(57)【要約】  方法、コンピュータ可読媒体、および装置が提供される。本装置は局であり得る。本装置は、チャネル上で、ワイヤレスデバイスからパケットを受信するように構成され得る。本装置は、受信されたパケットに関連付けられたＢＳＳＩＤまたは色を決定するように構成得る。本装置は、パケットに関連付けられた決定されたＢＳＳＩＤまたは決定された色、およびインジケーションに基づいて、チャネル上での送信を延期すべきかどうかを決定するように構成され得る。インジケーションは、ＢＳＳＩＤのリストまたは色情報を含み得る。【選択図】図２
2018521572.tif 000002
【特許請求の範囲】
【請求項１】
局によるワイヤレス通信の方法であって、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
前記パケットに関連付けられた前記決定されたＢＳＳＩＤまたは前記決定された色、およびインジケーションに基づいて、前記チャネル上での送信を延期すべきかどうかを決定すること、前記インジケーションは、ＢＳＳＩＤのリストまたは色情報を備える、と
を備える、方法。
【請求項２】
送信を延期すべきかどうかを前記決定することは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
を備える、請求項１に記載の方法。
【請求項３】
送信を延期すべきかどうかを前記決定することは、
前記パケットに関連付けられた前記ＢＳＳＩＤまたは前記色が、前記ＢＳＳＩＤのリスト中でまたは前記色情報中で示されないときに、送信を延期することを決定することと、
前記パケットに関連付けられた前記ＢＳＳＩＤまたは前記色が、前記ＢＳＳＩＤのリスト中でまたは前記色情報中で示されるときに、送信を延期しないことを決定することと
を備える、請求項１に記載の方法。
【請求項４】
送信を延期すべきかどうかを前記決定することは、前記パケットに関連付けられた前記ＢＳＳＩＤまたは前記色が、前記ＢＳＳＩＤのリスト中でまたは前記色情報中で示されるときに、前記パケットがそれの上で受信された前記チャネル上で予約された時間期間の間、送信を阻止することを決定することを備え、前記時間期間が、前記パケット中で示される持続時間よりも小さいかまたはそれに等しい、
請求項１に記載の方法。
【請求項５】
送信を延期しないという前記決定に基づいて前記パケットをドロップすることをさらに備え、前記ドロップすることは、前記パケットを廃棄することと、前記パケットに基づいてネットワーク割振りベクトルを設定しないこととを備える、
請求項１に記載の方法。
【請求項６】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１に記載の方法。
【請求項７】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１に記載の方法。
【請求項８】
前記局に関連付けられたアクセスポイントから前記インジケーションを受信することをさらに備え、前記インジケーションは、前記アクセスポイントからの関連付け応答中で、前記アクセスポイントからの管理フレームから、または前記アクセスポイントからのビーコンから受信される、
請求項１に記載の方法。
【請求項９】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１に記載の方法。
【請求項１０】
アクセスポイントによるワイヤレス通信の方法であって、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を備える、方法。
【請求項１１】
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
請求項１０に記載の方法。
【請求項１２】
従わされるべき前記少なくとも１つのＢＳＳは、前記ＢＳＳと従わされるべき前記少なくとも１つのＢＳＳとの間の距離に基づいて決定される、
請求項１０に記載の方法。
【請求項１３】
従わされるべき前記少なくとも１つのＢＳＳは、前記ＢＳＳと従わされるべき前記少なくとも１つのＢＳＳとの間のネゴシエーションを通して決定される、
請求項１０に記載の方法。
【請求項１４】
前記インジケーションは、関連付け応答中で、管理フレーム中で、またはビーコンフレーム中で、前記１つまたは複数の局に送信される、
請求項１０に記載の方法。
【請求項１５】
前記インジケーションは、
前記１つまたは複数の局がそれへの送信を、従うべきであるかまたはそれへの送信を延期すべきでないＢＳＳＩＤのリスト、あるいは
前記１つまたは複数の局がそれへの送信を、従うべきであるかまたはそれへの送信を延期すべきでないＢＳＳを識別する１つまたは複数の色を備える色情報
のうちの１つを含む、請求項１１に記載の方法。
【請求項１６】
ワイヤレス通信のための局であって、
メモリと、
前記メモリに結合された少なくとも１つのプロセッサと
を備え、前記少なくとも１つのプロセッサは、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
前記パケットに関連付けられた前記決定されたＢＳＳＩＤまたは前記決定された色、およびインジケーションに基づいて、前記チャネル上での送信を延期すべきかどうかを決定すること、前記インジケーションは、ＢＳＳＩＤのリストまたは色情報を備える、と
を行うように構成される、局。
【請求項１７】
前記少なくとも１つのプロセッサは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
によって、送信を延期すべきかどうかを決定するように構成される、請求項１６に記載の局。
【請求項１８】
前記少なくとも１つのプロセッサは、
前記パケットに関連付けられた前記ＢＳＳＩＤまたは前記色が、前記ＢＳＳＩＤのリスト中でまたは前記色情報中で示されないときに、送信を延期することを決定することと、
前記パケットに関連付けられた前記ＢＳＳＩＤまたは前記色が、前記ＢＳＳＩＤのリスト中でまたは前記色情報中で示されるときに、送信を延期しないことを決定することと
によって、送信を延期すべきかどうかを決定するように構成される、請求項１６に記載の局。
【請求項１９】
前記少なくとも１つのプロセッサは、前記パケットに関連付けられた前記ＢＳＳＩＤまたは前記色が、前記ＢＳＳＩＤのリスト中にまたは前記色情報中にあるときに、前記パケットがそれの上で受信された前記チャネル上で予約された時間期間の間、送信を延期することを決定することによって、送信を延期すべきかどうかを決定するように構成され、前記時間期間は、前記パケット中で示される持続時間よりも小さいかまたはそれに等しい、
請求項１６に記載の局。
【請求項２０】
前記少なくとも１つのプロセッサが、送信を延期しないという前記決定に基づいて、前記パケットを廃棄することによって、および前記パケットに基づいてネットワーク割振りベクトルを設定しないことによって、前記パケットをドロップするようにさらに構成される、
請求項１６に記載の局。
【請求項２１】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１６に記載の局。
【請求項２２】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１６に記載の局。
【請求項２３】
前記少なくとも１つのプロセッサは、前記局に関連付けられたアクセスポイントから前記インジケーションを受信するように構成され、前記インジケーションは、前記アクセスポイントからの関連付け応答中で、前記アクセスポイントからの管理フレームから、または前記アクセスポイントからのビーコンから受信される、
請求項１６に記載の局。
【請求項２４】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１６に記載の局。
【請求項２５】
ワイヤレス通信のためのアクセスポイントであって、
メモリと、
前記メモリに結合された少なくとも１つのプロセッサと
を備え、前記少なくとも１つのプロセッサは、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を行うように構成される、アクセスポイント。
【請求項２６】
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
請求項２５に記載のアクセスポイント。
【請求項２７】
従わされるべき前記少なくとも１つのＢＳＳは、前記ＢＳＳと従わされるべき前記少なくとも１つのＢＳＳとの間の距離に基づいて決定される、
請求項２５に記載のアクセスポイント。
【請求項２８】
従わされるべき前記少なくとも１つのＢＳＳは、前記ＢＳＳと従わされるべき前記少なくとも１つのＢＳＳとの間のネゴシエーションを通して決定される、
請求項２５に記載のアクセスポイント。
【請求項２９】
前記インジケーションは、関連付け応答中で、管理フレーム中で、またはビーコンフレーム中で、前記１つまたは複数の局に送信される、
請求項２５に記載のアクセスポイント。
【請求項３０】
前記インジケーションは、
前記１つまたは複数の局がそれへの送信を従うべきであるかまたはそれへの送信を延期すべきでないＢＳＳＩＤのリスト、あるいは
前記１つまたは複数の局がそれへの送信を従うべきであるかまたはそれへの送信を延期すべきでないＢＳＳを識別する１つまたは複数の色を備える色情報
のうちの１つを含む、
請求項２６に記載のアクセスポイント。
【発明の詳細な説明】
【関連出願の相互参照】
【０００１】
[0001]本出願は、その全体が参照により本明細書に明確に組み込まれる、２０１５年６月１１日に出願された「ENABLING CHANNEL REUSE FOR SELECTIVE BSS」と題する米国仮出願第６２／１７４，４４４号、および２０１６年６月７日に出願された「ENABLING CHANNEL REUSE FOR SELECTIVE BSS」と題する米国特許出願第１５／１７６，０６０号の利益を主張する。
【技術分野】
【０００２】
[0002]本開示は、一般に通信システムに関し、より詳細には、局またはアクセスポイントが選択的基本サービスセット（ＢＳＳ）のためのチャネル再利用を実装することを可能にする技法に関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００５】
[0005]チャネル再利用中に、局は、さらなる実現可能性の考慮なしに重複基本サービスセット（ＯＢＳＳ：overlapping basic service set）からのパケットをドロップし得る。チャネル再利用の実装を改善する必要がある。
【発明の概要】
【０００６】
[0006]本発明のシステム、方法、コンピュータ可読媒体、およびデバイスは、それぞれいくつかの態様を有し、それらのうちの単一の態様が、単独で、本発明の望ましい属性を担当するとは限らない。次に、以下の特許請求の範囲によって表される本発明の範囲を限定することなしに、いくつかの特徴が手短に説明される。この説明を考察すれば、特に「発明を実施するための形態」と題するセクションを読めば、本発明の特徴が、ワイヤレスネットワークにおけるデバイスに利点をどのように提供するかが理解されよう。
【０００７】
[0007]本開示の一態様では、方法、コンピュータ可読媒体、および装置が提供される。本装置は局であり得る。局は、チャネル上で、ワイヤレスデバイスからパケットを受信し得る。局は、受信されたパケットに関連付けられた、基本サービスセット識別子（ＢＳＳＩＤ：basic service set identifier）または色を決定し得る。局は、パケットに関連付けられた決定されたＢＳＳＩＤまたは決定された色、およびインジケーションに基づいて、チャネル上での送信を延期すべきかどうかを決定し得る。インジケーションは、ＢＳＳＩＤのリストまたは色情報を含み得る。
【０００８】
[0008]本開示の別の態様では、ワイヤレス通信のための装置が提供される。本装置は局であり得る。局は、チャネル上で、ワイヤレスデバイスからパケットを受信するための手段を含み得る。局は、受信されたパケットに関連付けられたＢＳＳＩＤまたは色を決定するための手段を含み得る。局は、パケットに関連付けられた決定されたＢＳＳＩＤまたは決定された色、およびインジケーションに基づいて、チャネル上での送信を延期すべきかどうかを決定するための手段を含み得る。インジケーションは、ＢＳＳＩＤのリストまたは色情報を含み得る。局は、送信を延期するという決定に基づいてパケットをドロップするための手段を含み得る。ドロップするための手段は、パケットを廃棄することと、パケットに基づいてネットワーク割振りベクトルを設定しないこととを行うように構成され得る。一構成では、送信を延期すべきかどうかを決定するための手段は、パケットがそれの上で受信されたチャネル上で予約された時間期間の間、送信を控えるように構成され得、そこにおいて、時間期間は、パケット中で示される持続時間よりも小さいかまたはそれに等しい。別の態様では、ＢＳＳＩＤのリストは、同じアクセスポイントに関連付けられた複数のＢＳＳＩＤを含み得、ＢＳＳＩＤのリストは、それへの送信が従わされるべきであるかまたはそれへの送信が従わされるべきでないＢＳＳＩＤを示し得る。別の態様では、局は第１のアクセスポイントに関連付けられ得、ＢＳＳＩＤのリストが、第１のアクセスポイントとコロケートされた第２のアクセスポイントに関連付けられた少なくとも１つのＢＳＳＩＤを含み得、ＢＳＳＩＤのリストは、パケットが少なくとも１つのＢＳＳＩＤから受信された場合に、送信を延期するように局に命令し得る。別の構成では、局は、局に関連付けられたアクセスポイントからインジケーションを受信するための手段を含み得る。別の態様では、インジケーションは、アクセスポイントからの関連付け応答中で、アクセスポイントからの管理フレームから、またはアクセスポイントからのビーコンから受信され得る。別の態様では、色情報は、それへの送信が従わされるべきであるかまたはそれへの送信が従わされるべきでない１つまたは複数の基本サービスセットに対応する１つまたは複数の色を含み得る。別の態様では、色情報中に含まれる色が、複数の基本サービスセットまたは複数のアクセスポイントに関連付けられ得る。
【０００９】
[0009]本開示の別の態様では、コンピュータ実行可能コードを記憶するワイヤレス通信デバイスのコンピュータ可読媒体が提供される。本コンピュータ可読媒体は、局に関連付けられ、チャネル上で、ワイヤレスデバイスからパケットを受信するためのコードを含み得る。本コンピュータ可読媒体は、受信されたパケットに関連付けられたＢＳＳＩＤまたは色を決定するためのコードを含み得る。本コンピュータ可読媒体は、パケットに関連付けられた決定されたＢＳＳＩＤまたは決定された色、およびインジケーションに基づいて、チャネル上での送信を延期すべきかどうかを決定するためのコードを含み得る。インジケーションは、ＢＳＳＩＤのリストまたは色情報を含み得る。本コンピュータ可読媒体は、送信を延期するという決定に基づいてパケットをドロップするためのコードを含み得る。ドロップするためのコードは、パケットを廃棄することと、パケットに基づいてネットワーク割振りベクトルを設定しないこととを行うためのコードを含み得る。一構成では、送信を延期すべきかどうかを決定するためのコードは、パケットがそれの上で受信されたチャネル上で予約された時間期間の間、送信を控えるためのコードを含み得、そこにおいて、時間期間は、パケット中で示される持続時間よりも小さいかまたはそれに等しい。別の態様では、ＢＳＳＩＤのリストは、同じアクセスポイントに関連付けられた複数のＢＳＳＩＤを含み得、ＢＳＳＩＤのリストは、それへの送信が従わされるべきであるかまたはそれへの送信が従わされるべきでないＢＳＳＩＤを示し得る。別の態様では、局は第１のアクセスポイントに関連付けられ得、ＢＳＳＩＤのリストが、第１のアクセスポイントとコロケートされた第２のアクセスポイントに関連付けられた少なくとも１つのＢＳＳＩＤを含み得、ＢＳＳＩＤのリストは、パケットが少なくとも１つのＢＳＳＩＤから受信された場合に、送信を延期するように局に命令し得る。別の構成では、本コンピュータ可読媒体は、局に関連付けられたアクセスポイントからインジケーションを受信するためのコードを含み得る。別の態様では、インジケーションは、アクセスポイントからの関連付け応答中で、アクセスポイントからの管理フレームから、またはアクセスポイントからのビーコンから受信され得る。別の態様では、色情報は、それへの送信が従わされるべきであるかまたはそれへの送信が従わされるべきでない１つまたは複数の基本サービスセットに対応する１つまたは複数の色を含み得る。別の態様では、色情報中に含まれる色が、複数の基本サービスセットまたは複数のアクセスポイントに関連付けられ得る。
【００１０】
[0010]本開示の別の態様では、方法、コンピュータ可読媒体、および装置が提供される。本装置はアクセスポイントであり得る。アクセスポイントは、アクセスポイントに関連付けられた基本サービスセット（ＢＳＳ）中の１つまたは複数の局によって、それのパケットが従わされるべきである少なくとも１つのＢＳＳを決定し得る。アクセスポイントは、少なくとも１つのＢＳＳのインジケーションを１つまたは複数の局に送信し得る。
【００１１】
[0011]本開示の別の態様では、ワイヤレス通信のための装置が提供される。本装置は、アクセスポイントに関連付けられたＢＳＳ中の１つまたは複数の局によって、それのパケットが従わされるべきである少なくとも１つのＢＳＳを決定するための手段を含み得る。本装置は、少なくとも１つのＢＳＳのインジケーションを１つまたは複数の局に送信するための手段を含み得る。一態様では、従わされるべき少なくとも１つのＢＳＳは、従わされるべき少なくとも１つのＢＳＳに関連付けられたデバイスからアクセスポイントにおいて受信された信号の信号強度に基づいて決定される。別の態様では、従わされるべき少なくとも１つのＢＳＳは、ＢＳＳと従わされるべき少なくとも１つのＢＳＳとの間の距離に基づいて決定される。別の態様では、従わされるべき少なくとも１つのＢＳＳは、ＢＳＳと従わされるべき少なくとも１つのＢＳＳとの間のネゴシエーションを通して決定される。別の態様では、インジケーションは、関連付け応答中で、管理フレーム中で、またはビーコンフレーム中で、１つまたは複数の局に送信される。別の態様では、インジケーションは、１つまたは複数の局がそれへの送信を従うべきであるかまたはそれへの送信を従うべきでないＢＳＳＩＤのリスト、あるいは１つまたは複数の局がそれへの送信を従うべきであるかまたはそれへの送信を従うべきでないＢＳＳを識別する１つまたは複数の色を含む色情報のうちの１つを含む。
【００１２】
[0012]本開示の別の態様では、コンピュータ実行可能コードを記憶するワイヤレス通信デバイスのコンピュータ可読媒体が提供される。本コンピュータ可読媒体は、アクセスポイントに関連付けられ、アクセスポイントに関連付けられたＢＳＳ中の１つまたは複数の局によって、それのパケットが従わされるべきである少なくとも１つのＢＳＳを決定するためのコードを含み得る。本コンピュータ可読媒体は、少なくとも１つのＢＳＳのインジケーションを１つまたは複数の局に送信するためのコードを含み得る。一態様では、従わされるべき少なくとも１つのＢＳＳは、従わされるべき少なくとも１つのＢＳＳに関連付けられたデバイスからアクセスポイントにおいて受信された信号の信号強度に基づいて決定される。別の態様では、従わされるべき少なくとも１つのＢＳＳは、ＢＳＳと従わされるべき少なくとも１つのＢＳＳとの間の距離に基づいて決定される。別の態様では、従わされるべき少なくとも１つのＢＳＳは、ＢＳＳと従わされるべき少なくとも１つのＢＳＳとの間のネゴシエーションを通して決定される。別の態様では、インジケーションは、関連付け応答中で、管理フレーム中で、またはビーコンフレーム中で、１つまたは複数の局に送信される。別の態様では、インジケーションは、１つまたは複数の局がそれへの送信を、従うべきであるかまたはそれへの送信を、従うべきでないＢＳＳＩＤのリスト、あるいは１つまたは複数の局がそれへの送信を従うべきであるかまたはそれへの送信を従うべきでないＢＳＳを識別する１つまたは複数の色を含む色情報のうちの１つを含む。
【図面の簡単な説明】
【００１３】
【図１】本開示の態様が採用され得る、例示的なワイヤレス通信システムを示す図。
【図２】ワイヤレスネットワーク中の複数のＢＳＳのワイヤレスデバイスを示す図。
【図３】管理フレームを示す図。
【図４】受信されたパケットに従うための局の方法／プロセスのフローチャート。
【図５】従わされるべきＢＳＳのインジケーションを送るためのアクセスポイントの方法／プロセスのフローチャート。
【図６】図１のワイヤレス通信システムまたは図２のワイヤレスネットワーク内で採用され得るワイヤレスデバイスの例示的な機能ブロック図。
【図７】例示的なワイヤレス通信デバイスの機能ブロック図。
【発明を実施するための形態】
【００１４】
[0020]添付の図面を参照しながら、新規のシステム、装置、コンピュータプログラム製品、および方法の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、コンピュータプログラム製品、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるどの態様も請求項の１つまたは複数の要素によって実施され得ることを理解されたい。
【００１５】
[0021]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１６】
[0022]普及しているワイヤレスネットワーク技術は、様々なタイプのＷＬＡＮを含み得る。ＷＬＡＮは、広く使用されるネットワーキングプロトコルを採用して、近接デバイスを互いに相互接続するために使用され得る。本明細書で説明される様々な態様は、ワイヤレスプロトコルなど、任意の通信規格に適用され得る。
【００１７】
[0023]いくつかの態様では、ワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、米国電気電子技術者協会（ＩＥＥＥ）８０２．１１プロトコルに従って送信され得る。ＩＥＥＥ８０２．１１プロトコルの実装形態は、センサー、メータリング、およびスマートグリッドネットワークのために使用され得る。有利には、ＩＥＥＥ８０２．１１プロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１８】
[0024]いくつかの実装形態では、ＷＬＡＮは、ワイヤレスネットワークにアクセスするコンポーネントである様々なデバイスを含む。たとえば、２つのタイプのデバイス、すなわちアクセスポイント（ＡＰ）および（局または「ＳＴＡ」とも呼ばれる）クライアントがあり得る。概して、ＡＰはＷＬＡＮのためのハブまたは基地局として働き得、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（登録商標）（たとえば、ＩＥＥＥ８０２．１１プロトコル）準拠ワイヤレスリンクを介してＡＰに接続する。いくつかの実装形態では、ＳＴＡはＡＰとして使用されることもある。
【００１９】
[0025]局はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、局は、セルラー電話、コードレス電話、セッション開始プロトコル（ＳＩＰ）フォン、ワイヤレスローカルループ（ＷＬＬ）局、ＰＤＡ、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成される他の好適なデバイスに組み込まれ得る。
【００２０】
[0026]「関連付ける」または「関連付け」という用語、あるいはそれらの任意の変形態は、本開示のコンテキスト内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスが、装置のうちの１つによる「関連付け要求」と、後続の、他の装置による「関連付け応答」とを必要とする、ハンドシェイクプロトコルを使用して説明される。ハンドシェイクプロトコルが、例として、認証を行うためのシグナリングなど、他のシグナリングを必要とし得ることが、当業者には理解されよう。
【００２１】
[0027]本明細書における「第１」、「第２」などの名称を使用した要素への言及は、それらの要素の数量または順序を概括的に限定するものでない。むしろ、これらの名称は、本明細書において２つまたはそれ以上の要素またはある要素の複数の事例を区別する便利な方法として使用される。したがって、第１および第２の要素への言及は、２つの要素のみが採用され得ること、または第１の要素が第２の要素に先行しなければならないことを意味するものではない。さらに、項目のリスト「のうちの少なくとも１つ」を指す句は、単一のメンバーを含む、それらの項目の任意の組合せを指す。一例として、「Ａ、Ｂ、またはＣのうちの少なくとも１つ」は、Ａ、またはＢ、またはＣ、あるいはそれらの任意の組合せ（たとえば、Ａ−Ｂ、Ａ−Ｃ、Ｂ−Ｃ、およびＡ−Ｂ−Ｃ）を包含するものとする。
【００２２】
[0028]上記で説明されたように、本明細書で説明されるいくつかのデバイスは、たとえば、ＩＥＥＥ８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらのデバイスはまた、（たとえばホットスポットとともに使用するための）拡張された範囲のインターネット接続性を可能にするために、またはマシンツーマシン通信を実装するために、モニタのために使用され得る。
【００２３】
[0029]図１は、本開示の態様が採用され得る、例示的なワイヤレス通信システム１００を示す。ワイヤレス通信システム１００は、ワイヤレス規格、たとえばＩＥＥＥ８０２．１１規格に従って動作し得る。ワイヤレス通信システム１００は、ＳＴＡ（たとえば、ＳＴＡ１１２、１１４、１１６、および１１８）と通信するＡＰ１０４を含み得る。
【００２４】
[0030]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。そうである場合、ワイヤレス通信システム１００はＣＤＭＡシステムと呼ばれることがある。
【００２５】
[0031]ＡＰ１０４からＳＴＡのうちの１つまたは複数への送信を可能にする通信リンクはダウンリンク（ＤＬ）１０８と呼ばれることがあり、ＳＴＡのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストトラフィックインジケーションを含み得る。
【００２６】
[0032]ＡＰ１０４は、いくつかの態様では、ＡＰ１０４が、著しいアナログデジタル変換（ＡＤＣ）クリッピング雑音を引き起こすことなしに、同時に２つ以上のチャネル上でＵＬ通信を受信し得るように、隣接チャネル干渉（ＡＣＩ）を抑制し得る。ＡＰ１０４は、たとえば、各チャネルについて別々の有限インパルス応答（ＦＩＲ）フィルタを有すること、または増大されたビット幅をもつより長いＡＤＣバックオフ期間を有することによって、ＡＣＩの抑制を改善し得る。
【００２７】
[0033]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４に関連付けられ、通信のためにＡＰ１０４を使用するＳＴＡとともに、ＢＳＳと呼ばれることがある。ワイヤレス通信システム１００は、中央ＡＰ（たとえば、ＡＰ１０４）を有しないことがあり、むしろ、ＳＴＡ間のピアツーピアネットワークとして機能し得ることに留意されたい。したがって、本明細書で説明されるＡＰ１０４の機能は、ＳＴＡのうちの１つまたは複数によって代替的に実行され得る。
【００２８】
[0034]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信し得、ビーコン信号は、他のノード（ＳＴＡ）がそれらのタイミングをＡＰ１０４と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含み得、それらのうちのいくつかが以下でさらに詳細に説明される。したがって、ビーコンは、いくつかのデバイスの間で共通である（たとえば、共有される）とともに所与のデバイスに固有である、情報を含み得る。
【００２９】
[0035]いくつかの態様では、ＳＴＡ（たとえば、ＳＴＡ１１４）は、ＡＰ１０４に通信を送るために、および／またはＡＰ１０４から通信を受信するために、ＡＰ１０４に関連付けることを必要とされ得る。一態様では、関連付けるための情報が、ＡＰ１０４によってブロードキャストされるビーコン中に含まれる。そのようなビーコンを受信するために、ＳＴＡ１１４は、たとえば、カバレージ領域にわたって広カバレージ探索を実行し得る。また、探索は、ＳＴＡ１１４によって、たとえば、灯台方式でカバレージ領域を掃引することによって実行され得る。関連付けるための情報を受信した後に、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００３０】
[0036]一態様では、ＡＰ１０４は、様々な機能を実行するための１つまたは複数のコンポーネントを含み得る。たとえば、ＡＰ１０４はチャネル再利用コンポーネント１２４を含み得る。いくつかの構成では、チャネル再利用コンポーネント１２４は、アクセスポイントに関連付けられたＢＳＳ中の１つまたは複数の局によって、それのパケットが従わされるべきである少なくとも１つのＢＳＳを決定するように構成され得る。チャネル再利用コンポーネント１２４は、少なくとも１つのＢＳＳのインジケーションを１つまたは複数の局に送信し得る。
【００３１】
[0037]別の態様では、ＳＴＡ１１４は、様々な機能を実行するための１つまたは複数のコンポーネントを含み得る。たとえば、ＳＴＡ１１４はチャネル再利用コンポーネント１２６を含み得る。いくつかの構成では、チャネル再利用コンポーネント１２６は、チャネル上で、ワイヤレスデバイスからパケットを受信するように構成され得る。ＳＴＡ１１４は、受信されたパケットに関連付けられたＢＳＳＩＤまたは色を決定し得る。ＳＴＡ１１４は、パケットに関連付けられた決定されたＢＳＳＩＤまたは決定された色、およびインジケーションに基づいて、チャネル上での送信を延期すべきかどうかを決定し得る。インジケーションは、ＢＳＳＩＤのリストまたは色情報を含み得る。
【００３２】
[0038]図２は、ワイヤレスネットワーク（たとえば、Ｗｉ−Ｆｉネットワーク）中の複数のＢＳＳのワイヤレスデバイスを示す図２００である。ＡＰ  Ａ２１０が、第１の送信範囲２１２を有し、ＢＳＳ  Ａ２１１とＢＳＳ  Ｄ２４１とを管理し得る。ＢＳＳ  Ａ２１１は、局の中でも、ＳＴＡ  Ａ２１５を含む。ＢＳＳ  Ｄ２４１は、局の中でも、ＳＴＡ  Ｄ２４５を含む。さらに、ＡＰ  Ｂ２２０は、第２の送信範囲２２２を有し、ＢＳＳ  Ｂ２２１を管理する。ＢＳＳ  Ｂ２２１は、局の中でも、ＳＴＡ  Ｂ２２５を含む。ＡＰ  Ｃ２３０は、第３の送信範囲２３２を有し、ＢＳＳ  Ｃ２３１を管理する。ＡＰ  Ｅ２５０は、ＡＰ  Ａ２１０とコロケートされ得、ＢＳＳ  Ｅ２５１を管理し得る。ＢＳＳ  Ａ〜Ｅ２１１、２２１、２３１、２４１、２５１は、同じ周波数チャネル２０６を利用し得る。さらに、ＢＳＳ  Ｂ〜Ｅ２２１、２３１、２４１、２５１は、ＢＳＳ  Ａ２１１と重複し、ＢＳＳ  Ａ２１１のＯＢＳＳと見なされる。
【００３３】
[0039]この例では、ＳＴＡ  Ａ２１５は、ＢＳＳ  Ａ２１１に属し、第１の送信範囲２１２、第２の送信範囲２２２、および第３の送信範囲２３２内にある。ＢＳＳ  Ａ２１１に属するパケットを受信することに加えて、ＳＴＡ  Ａ２１５は、ＢＳＳ  Ｂ〜Ｅ２２１、２３１、２４１、２５１のアクセスポイントおよび局から送信された、それらのＢＳＳに属するパケットをも受信し得る。
【００３４】
[0040]周波数チャネル２０６の再利用を増加させるために、いくつかの状況では、ＳＴＡ  Ａ２１５などのデバイスが、ＯＢＳＳからのものであるパケットをドロップすることが有利であり得る。いくつかの構成では、パケットを受信すると、ＳＴＡ  Ａ２１５は、受信されたパケットのＢＳＳＩＤを決定し得る。パケットのＢＳＳＩＤが、ＳＴＡ  Ａ２１５が属するＢＳＳ（たとえば、ＢＳＳ  Ａ２１１）のＢＳＳＩＤに一致しない場合、ＳＴＡ  Ａ２１５はパケットをドロップし得る。言い換えれば、ＳＴＡ  Ａ２１５は、パケットを無視し得、パケットのネットワーク割振りベクトル（ＮＡＶ：network allocation vector）を尊重しないことがある。詳細には、ＳＴＡ  Ａ２１５は、場合によっては送信が許容される場合、パケットのＮＡＶ中に、周波数チャネル２０６上で別のパケットを送信することを選定し得る。
【００３５】
[0041]いくつかの構成では、パケットを受信すると、ＳＴＡ  Ａ２１５はパケットの色を決定し得る。パケットの色が、ＳＴＡ  Ａ２１５が属するＢＳＳ（すなわち、ＢＳＳ  Ａ２１１）の色に一致しない場合、ＳＴＡ  Ａ２１５はパケットをドロップし得る。一態様では、色は、ＢＢＳＩＤとは異なる、基本サービスセットまたは基本サービスセットに関連付けられたアクセスポイントを識別する、識別子であり得る。色は、たとえば、６ビット識別子であり得る。
【００３６】
[0042]上記で説明された構成では、ＳＴＡ  Ａ２１５が、ＳＴＡ  Ｄ２４５とＡＰ  Ａ２１０との間で通信され、ＢＳＳ  Ｄ２４１に属するパケットを受信したとき、ＳＴＡ  Ａ２１５は、受信されたパケットをドロップし得る。ＳＴＡ  Ａ２１５は、ＢＳＳ  Ｄ２４１がＢＳＳ  Ａ２１１の同じＡＰ（たとえば、ＡＰ  Ａ２１０）に関連付けられても、パケットのＢＳＳＩＤまたは色が、ＳＴＡ  Ａ２１５が属するＢＳＳ  Ａ２１１のＢＳＳＩＤまたは色に一致しないことがあるので、受信されたパケットをドロップし得る。これは、いくつかの状況では、ＢＳＳ  Ｄ２４１に属するパケットが、ＢＳＳ  Ａ２１１に属するパケットへの強い干渉を引き起こし得るので、望ましくないことがある。さらに、ＢＳＳ  Ｅ２５１からのパケットもＳＴＡ  Ａ２１５によってドロップされ得、これは、いくつかの状況では、ＢＳＳ  Ｅ２５１に属するパケットも、ＢＳＳ  Ａ２１１に属するパケットへの強い干渉を引き起こし得るので、望ましくないことがある。
【００３７】
[0043]いくつかの構成では、チャネル再利用の実装を改善するために、ＡＰ  Ａ２１０は、ＢＳＳ  Ａ２１１の局がそれのパケットに従うように要求される１つまたは複数のＯＢＳＳのインジケーションを送り得る。たとえば、インジケーションは、ＢＳＳ  Ａ２１１のためにＡＰ  Ａ２１０によって送信された管理フレーム中に含まれ得る。
【００３８】
[0044]図３は、管理フレームを示す図３００である。管理フレーム３１０は、媒体アクセス制御（ＭＡＣ）ヘッダ３１２と、フレーム本体３１６と、フレーム検査シーケンス（ＦＣＳ）フィールド３１８とを含む。一態様では、インジケーションは、フレーム本体３１６の既存の情報要素（ＩＥ）中に含まれ得る。別の態様では、フレーム本体３１６は、インジケーションを搬送するために使用されるＢＳＳインジケーションＩＥ３２２（またはマルチＢＳＳ識別子ＩＥ）を含み得る。別の態様では、ＭＡＣヘッダ３１２はインジケーションを含み得る。別の態様では、インジケーションは、ＭＡＣヘッダ３１２とは別個である物理ヘッダ中に（たとえば、フレームのプリアンブル中のＰＨＹヘッダ３４０の色フィールド中に）含まれ得る。以下でより詳細に説明されるように、インジケーションは、１つまたは複数の色３３２および／または１つまたは複数のＢＳＳＩＤ３３４を含み得る。色３３２は、デバイスがそれへの通信を延期することが予想される色、および／またはデバイスがそれへの通信を延期することが予想されない色に対応し得る。ＢＳＳＩＤ３３４は、デバイスがそれへの通信を延期することが予想されるＢＳＳＩＤ、および／またはデバイスがそれへの通信を延期することが予想されないＢＳＳＩＤに対応し得る。
【００３９】
[0045]１つの技法では、管理フレーム３１０は関連付け応答フレームであり得る。ＢＳＳ  Ａ２１１に加入するより前に、ＳＴＡ  Ａ２１５は、ＢＳＳ  Ａ２１１に関連付けられることを要求するために、関連付け要求をＡＰ  Ａ２１０に送り得る。ＳＴＡ  Ａ２１５の関連付け要求を受け付けることを決定すると、ＡＰ  Ａ２１０は関連付け応答フレームをＳＴＡ  Ａ２１５に送る。一態様では、関連付け応答フレームのフレーム本体３１６は、それのパケットが従わされなければならないＢＳＳＩＤ、またはＳＴＡ  Ａ２１５がそれのパケットに従う必要がない。ＢＳＳＩＤのインジケーションを含み得る別の態様では、インジケーションは、フレーム本体３１６の代わりに、ＭＡＣヘッダ３１２または物理ヘッダ中にあり得る。
【００４０】
[0046]別の技法では、管理フレーム３１０はビーコンフレームであり得る。この例では、ＡＰ  Ａ２１０は、ＢＳＳ  Ａ２１１のためにＡＰ  Ａ２１０によって送られる各ビーコンフレーム中にインジケーションを含め得る。代替的に、ＡＰ  Ａ２１０は、ＢＳＳ  Ａ２１１のためにＡＰ  Ａ２１０によって送られるすべてのビーコンフレームのうちのビーコンフレームの選択されたサブセット中にインジケーションを含め得る。たとえば、ＡＰ  Ａ２１０は、Ｎ個のビーコンフレームごとに１つのビーコンフレーム中にインジケーションを含め、Ｎは１よりも大きい整数であり得る。
【００４１】
[0047]アクセスポイントは、様々なファクタに基づいて、特定のＢＳＳおよび／またはＯＢＳＳのパケットが、アクセスポイントに関連付けられたＢＳＳの１つまたは複数の局によって従わされるべきであるかどうか、たとえば、特定のＢＳＳおよび／またはＯＢＳＳが、１つまたは複数の局によって従わされるべきであるかどうかを決定し得る。したがって、特定のＢＳＳのパケットを受信すると、１つまたは複数の局は、アクセスポイントによって示されるように、パケットに従うかまたはそれをドロップし得る。一態様では、アクセスポイントは、アクセスポイントが２つ以上のＢＳＳＩＤを有する場合、たとえば、アクセスポイントに関連付けられたすべての知られているＢＳＳＩＤのリストを局に与えることによって、従わされるべきＢＳＳを示し得る。リストは、関連付け応答、ビーコン、または別のメッセージタイプ中で送信され得る。別の態様では、リストはまた、近くのおよび／またはコロケートされたアクセスポイントからのパケットの上で局が送信することが望ましくないことがあるので（たとえば、あまりに多くの干渉）、局がそれに従うべきである近くのおよび／またはコロケートされたアクセスポイントに関連付けられたＢＳＳＩＤを含み得る。別の態様では、インジケーションが色情報（たとえば、６ビット識別子）である場合、アクセスポイントは、同じアクセスポイントに関連付けられたすべてのＢＳＳＩＤについて同じ色を使用することを決定し得る。同じアクセスポイントについての異なるＢＳＳＩＤが異なる色を有する場合、アクセスポイントに関連付けられた局は、他の色に従うことを知らないことがある。
【００４２】
[0048]一態様では、受信局の同じＢＳＳからのパケットは、受信局によって常に観測され得る。同じＢＳＳからの受信されたパケットを観測することは、パケットが受信局にアドレス指定されるかどうかを決定するために、受信局がパケットをさらに処理することを意味する。パケットが受信局にアドレス指定される場合、局は、パケットを受信局における上位レイヤ（たとえば、インターネットプロトコル（ＩＰ）レイヤおよび／またはアプリケーションレイヤ）に送り得る。パケットが受信局にアドレス指定されない場合、受信局は、（たとえば、ＮＡＶを通して）パケットとの関係においてチャネル上で予約された期間を尊重し（またはその期間の間送信を控え）得る。パケットがＯＢＳＳに属する場合、受信局は、（たとえば、ＮＡＶを通して）パケットに関連付けられたチャネル上で予約された期間を尊重すべきかどうかを決定し得る。特定のＢＳＳのパケット、特定のＢＳＳからのパケット、または特定のＢＳＳに属するパケットは、パケットが特定のＢＳＳのデバイスによって観測されることを意図されることを意味する。たとえば、パケットは、特定のＢＳＳのＢＳＳＩＤを含み得る。
【００４３】
[0049]以下で説明される例は、一例として、ＡＰ  Ａ２１０を使用し得る。とはいえ、説明される技法は、他のアクセスポイントおよび／または局に同様に適用され得る。再び図２を参照すると、いくつかの構成では、ＡＰ  Ａ２１０は、同じＡＰ  Ａ２１０に同じく関連付けられたＯＢＳＳ（たとえば、ＢＳＳ  Ｄ２４１）が従わされるべきであると決定し得る。さらに、ＡＰ  Ａ２１０は、ＡＰ  Ａ２１０とコロケートされた別のアクセスポイントに関連付けられたＯＢＳＳ（たとえば、ＢＳＳ  Ｅ２５１）が従わされるべきであると決定し得る。したがって、この例では、ＡＰ  Ａ２１０は、ＢＳＳ  Ｄ２４１およびＢＳＳ  Ｅ２５１からのパケットが、ＢＳＳ  Ａ２１１のパケットの受信への干渉を引き起こし得るので、ＢＳＳ  Ａ２１１、ＢＳＳ  Ｄ２４１、およびＢＳＳ  Ｅ２５１が従わされるべきであると決定し得る。
【００４４】
[0050]いくつかの構成では、ＡＰ  Ａ２１０は、ＯＢＳＳからＡＰ  Ａ２１０において受信された信号の信号強度に基づいて、ＯＢＳＳが従わされるべきであるかどうかを決定する。たとえば、ＡＰ  Ａ２１０は、ネイバリングＡＰからのビーコンフレーム（たとえば、ＡＰ  Ｂ２２０、ＡＰ  Ｃ２３０、およびＡＰ  Ｅ２５０からのビーコンフレーム）を受信すると、ビーコンフレームの信号強度を決定し得る。特定のビーコンフレームの信号強度がしきい値を上回る場合、ＡＰ  Ａ２１０は、特定のビーコンフレームのＯＢＳＳが従わされるべきであると決定し得、他の場合、ＡＰ２１０は、延期がＯＢＳＳのために必要とされないと決定し得る。信号強度は、受信信号強度インジケーション（ＲＳＳＩ：received signal strength indication）に基づいて決定され得る。
【００４５】
[0051]いくつかの構成では、ＡＰ  Ａ２１０は、様々な技法を通してネイバリングアクセスポイントを発見し得る。たとえば、ＡＰ  Ａ２１０は、周波数チャネル２０６上でネイバー報告要求フレームを送り、次いで、周囲の局からネイバー報告応答フレームを受信し得る。ネイバー報告応答フレームは、ＡＰ  Ｂ、Ｃ、およびＥ２２０、２３０、２５０の情報を含み得る。
【００４６】
[0052]一態様では、ＡＰ  Ａ２１０は、ＢＳＳ  Ａ２１１と特定のＢＳＳとの間の距離に基づいて、ＡＰ  Ａ２１０、ＡＰ  Ｂ２２０、ＡＰ  Ｃ２３０、またはＡＰ  Ｅ２５０に関連付けられた特定のＢＳＳに従うべきかどうかをさらに決定し得る。たとえば、距離は、ＢＳＳ  Ａ２１１と特定のＢＳＳとの間のＢＳＳ距離であり得る。ＢＳＳ距離は、ＡＰ間距離の関数であり得る。一例としてＢＳＳ  Ｂ２２１を使用すると、ＢＳＳ距離は、ＡＰ  Ａ２１０とＡＰ  Ｂ２２０との間の距離の関数である。詳細には、ネイバリングアクセスポイントが遠くに離れているほど、ＢＳＳ距離は大きくなる。追加または代替として、ＢＳＳ距離は、特定のＢＳＳのアクセスポイントから特定のＢＳＳの局までの距離の関数であり得る。一例としてＢＳＳ  Ｂ２２１を使用すると、ＢＳＳ距離は、ＡＰ  Ｂ２２０とＳＴＡ  Ｂ２２５との間の距離、ならびにＡＰ  Ａ２１０とＳＴＡ  Ａ２１５との間の距離の関数である。詳細には、局がそれらのそれぞれのアクセスポイントに近いほど、ＢＳＳ距離は大きくなる。追加または代替として、ＢＳＳ距離は、ＡＰ  Ａ２１０から特定のＢＳＳの局までの距離の関数であり得る。一例としてＢＳＳ  Ｂ２２１を使用すると、ＢＳＳ距離は、ＡＰ  Ａ２１０とＳＴＡ  Ｂ２２５との間の距離の関数である。詳細には、特定のＢＳＳの局がＡＰ  Ａ２１０に近いほど、ＢＳＳ距離は小さくなる。
【００４７】
[0053]別の態様では、ＡＰ  Ａ２１０は、特定のＯＢＳＳのＢＳＳ距離が距離しきい値よりも大きいのか小さいのかに基づいて、特定のＯＢＳＳに従うことを決定し得る。たとえば、ＡＰ  Ａ２１０は、ＢＳＳ  Ｂ２２１のＢＳＳ距離が距離しきい値よりも大きく、したがって、ＢＳＳ  Ｂ２２１からのパケットがＢＳＳ  Ａ２１１の１つまたは複数の局によって従わされる必要がないと決定し得る。ＢＳＳ  Ｂ２２１のパケットに従わないという決定は、さらに、追加の基準を条件とし得ることに留意されたい。ＡＰ  Ａ２１０は、ＢＳＳ  Ｃ２３１およびＢＳＳ  Ｅ２５１のＢＳＳ距離がしきい値よりも小さく、したがって、ＢＳＳ  Ｃ２３１およびＢＳＳ  Ｅ２５１からのパケットがＢＳＳ  Ａ２１１の１つまたは複数の局によって従わされるべきであると決定し得る。
【００４８】
[0054]別の態様では、ＡＰ  Ａ２１０は、ネイバーアクセスポイントに関連付けられたＯＢＳＳに従うべきかどうかを決定するために、ネイバーアクセスポイント（すなわち、ＡＰ  Ａ２１０、ＡＰ  Ｂ２２０、ＡＰ  Ｃ２３０、またはＡＰ  Ｅ２５０）とネゴシエートし得る。たとえば、ネゴシエーションを通して、ＡＰ  Ａ２１０は、それが特定のＯＢＳＳのアクセスポイントおよび局に引き起こす干渉を推定し得る。干渉レベルに基づいて、ＡＰ  Ａ２１０は、特定のＯＢＳＳに従うべきかどうかを決定し得る。
【００４９】
[0055]いくつかの構成では、ＡＰ  Ａ２１０は、従わされるべきであるＢＳＳおよび／またはＯＢＳＳのリストでネットワーク事業者によって構成され得る。たとえば、リストは、ＢＳＳ  Ａ２１１、ＢＳＳ  Ｃ２３１、ＢＳＳ  Ｄ２４１、およびＢＳＳ  Ｅ２５１に関連付けられたＢＳＳＩＤを含み得、ＢＳＳ  Ｂ２２１に関連付けられたＢＳＳＩＤを含まないことがある。
【００５０】
[0056]ＡＰ  Ａ２１０がＢＳＳ  Ａ２１１の１つまたは複数の局によって従わされるべきであるＢＳＳＩＤを決定するかまたはそれで構成されると、ＡＰ  Ａ２１０は、上記で説明されたように（たとえば、管理フレームを通して）従わされるべきＢＳＳＩＤのインジケーションを送り得る。
【００５１】
[0057]一態様では、インジケーションは、従わされるべきＢＳＳおよびＯＢＳＳのＢＳＳＩＤを含み得る。ＢＳＳＩＤは、前に説明されたように管理フレーム中に含まれ得る。その後、ＳＴＡ  Ａ２１５がパケットを受信したとき、ＳＴＡ  Ａ２１５は、パケットのＢＳＳＩＤを抽出し（たとえば、ＢＳＳＩＤは、パケットの受信アドレスフィールドまたは送信アドレスフィールド中に含まれ得る）、抽出されたＢＳＳＩＤが、ＢＳＳ  Ａ２１１のＢＳＳＩＤに一致するのか、ＡＰ  Ａ２１０から受信されたリスト中に含まれるＢＳＳＩＤのうちの１つに一致するのかを決定する。抽出されたＢＳＳＩＤが（ＢＳＳ  Ａ２１１のＢＳＳＩＤを含み得る）リスト中に含まれるＢＳＳＩＤのうちの１つに一致する場合、ＳＴＡ  Ａ２１５はパケットを観測する。ＳＴＡ  Ａ２１５は、パケットに基づいてＮＡＶを設定することによってパケットを観測する。他の場合、ＳＴＡ  Ａ２１５は、パケットをドロップする（たとえば、パケットを無視し、パケットに基づいてＮＡＶを設定しない）ことを選定し得る。
【００５２】
[0058]別の態様では、インジケーションは、従わされるべきＢＳＳの色であり得る。従わされるべきすべてのＢＳＳの色は、前に説明されたように管理フレーム中に含まれ得る。一例では、色は、ＢＳＳ  Ａ２１１に関連付けられた色情報と、ＢＳＳ  Ｄ２４１およびＢＳＳ  Ｅ２５１に関連付けられた色情報とを含み得る。一態様では、ＡＰ  Ａ２１１は、ＢＳＳ  Ａ２１１およびＢＳＳ  Ｄ２４１に対応する２つのＢＳＳＩＤに関連付けられ得、ＡＰ  Ａ２１１は、ＢＳＳ  Ａ２１１のためにおよびＢＳＳ  Ｄ２４１のために同じ色を割り当て得る。その後、ＳＴＡ  Ａ２１５がパケットを受信したとき、ＳＴＡ  Ａ２１５はパケットの色を決定し、パケットの色が、従わされるべきＢＳＳの色に一致するかどうかを決定する。パケットの色がそれらの色のうちの１つに一致するとき、ＳＴＡ  Ａ２１５はパケットを観測する。他の場合、ＳＴＡ  Ａ２１５は、パケットをドロップすることを選定し得る。
【００５３】
[0059]一態様では、パケットは、色情報またはＢＳＳＩＤがパケットとともに含まれるかどうかを示すフラグを含み得る。この態様では、ＳＴＡ  Ａ２１５は、パケット中の色情報またはＢＳＳＩＤを探すべきかどうかを決定し得る。代替的に、ＳＴＡ  Ａ２１５は、色情報および／またはＢＳＳＩＤを探すように事前構成され得る。
【００５４】
[0060]別の態様では、ＡＰ  Ａ２１０は、ＢＳＳ  Ａ２１１の色を、従わされるべき特定のＯＢＳＳ（たとえば、ＢＳＳ  Ｅ２５１）の同じ色として割り当て得る。この態様では、ＡＰ  Ａ２１０は、局がＢＳＳ  Ａ２１１の色のパケットを観測するように構成されるので、ＢＳＳ  Ａ２１１の１つまたは複数の局にインジケーションを送らないことを選定し得る。したがって、ＢＳＳ  Ａ２１１の局は、ＢＳＳ  Ａ２１１および同じ色を有する特定のＯＢＳＳからのパケットを観測し得る。さらに、ＡＰ  Ａ２１０は、ＢＳＳ  Ａ２１１および従わされるべきＯＢＳＳに同じ色を割り当てるために、従わされるべきＯＢＳＳのアクセスポイントとさらにネゴシエートし得る。同様に、ＡＰ  Ａ２１０は、局がＢＳＳ  Ａ２１１の色を有するパケットを観測するように構成されるので、インジケーションをＢＳＳ  Ａ２１１の１つまたは複数の局に送らないことを選定し得る。したがって、ＢＳＳ  Ａ２１１の局は、ＢＳＳ  Ａ２１１および従わされるべきＯＢＳＳからのパケットを観測し得る。
【００５５】
[0061]上記の例は、ＡＰが、関連付けられた局がどのＢＳＳに従うべきであるかを決定することについて説明した。説明される技法、方法、およびプロトコルはＳＴＡにも適用可能であるので、いくつかの事例では、ＳＴＡも、ＡＰからのインジケーションを受信することなしに、どのＢＳＳに従うべきかを自律的に決定し得る。ＳＴＡは、本明細書で説明される技法に基づいて、どのＢＳＳに従うべきかを決定し得る。そのような事例では、ＳＴＡは、どのＯＢＳＳに従うべきかをＡＰに示し得る。
【００５６】
[0062]さらに、上述の実施形態は、管理フレーム中で与えられるインジケーションについて説明するが、他の好適なフレームも、既存のＩＥまたはＢＳＳインジケーションＩＥ３２２内にインジケーションを含めることによって、延期のためのＢＳＳを示すために使用され得る。さらに、再利用を増加させるためにＢＳＳＩＤを使用することに関して説明される方法および技法は、色情報にも適用可能であり、その逆も同様である。
【００５７】
[0063]図４は、受信されたパケットに従うための局の方法／プロセスのフローチャート４００である。方法は、局（たとえば、ＳＴＡ  Ａ、Ｂ、およびＤ２１５、２２５、２４５、ワイヤレスデバイス６０２、またはワイヤレス通信デバイス７００）によって実行され得る。動作４１０において、局は、ＢＳＳのアクセスポイントから、従わされるべきＢＳＳのインジケーションを受信する。局はＢＳＳに関連付けられ得る。いくつかの構成では、動作４１０内で、局は、動作４１３において、管理フレームを受信する。インジケーションは管理フレーム中に含まれ得る。たとえば、図２を参照すると、局はＳＴＡ  Ａ２１５であり得る。ＳＴＡ  Ａ２１５は、ＡＰ  Ａ２１０から、ＢＳＳインジケーションＩＥ３２２をもつ管理フレームを受信し得る。ＢＳＳインジケーションＩＥ３２２は、ＢＳＳ  Ａ、２１１、ＢＳＳ  Ｃ２３１、ＢＳＳ  Ｄ２４１、およびＢＳＳ  Ｅ２５１に従うようにＳＴＡ  Ａ２１５に命令するインジケーションを含み得る。
【００５８】
[0064]いくつかの構成では、動作４１０内で、局は、動作４１６において、ＢＳＳ中のアクセスポイントに関連付けられるより前に、関連付け要求をアクセスポイントに送る。動作４１９において、局は、アクセスポイントから関連付け応答を受信する。インジケーションは関連付け応答中に含まれ得る。たとえば、図２を参照すると、ＳＴＡ  Ａ２１５は、ＢＳＳ  Ａ２１１中のＡＰ  Ａ２１０に関連付けられるようになる前に、関連付け要求をＡＰ  Ａ２１０に送り得る。関連付け要求に応答して、ＳＴＡ  Ａ２１５はＡＰ２１０から関連付け応答を受信し得、関連付け応答は、どのＢＳＳに従うべきかのインジケーションを含み得る。インジケーションは、ＢＳＳＩＤまたは色情報であり得る。
【００５９】
[0065]動作４１０の後に、局は、動作４１２において、チャネル上で、ＳＴＡ  Ａ２１５のＢＳＳに属さないパケットを受信する。たとえば、図２を参照すると、ＳＴＡ  Ａ２１５は、周波数チャネル２０６上で、ＢＳＳ  Ａ２１１に属さないパケットを受信し得る。
【００６０】
[0066]動作４２０において、局は、パケットが、従わされるべきＢＳＳ（たとえば、ＯＢＳＳ）に属するかどうかを決定する。たとえば、図２を参照すると、ＳＴＡ  Ａ２１５は、パケットが、ＢＳＳ  Ｃ、２３１、ＢＳＳ  Ｄ２４１、およびＢＳＳ  Ｅ２５１を含み得る、従わされるべきＯＢＳＳに属するかどうかを決定し得る。別の態様では、インジケーションは、局がそれについて従うべきでない１つまたは複数のＢＳＳを示し得る。いくつかの構成では、のインジケーションは、従わされるべきＯＢＳＳの色である。パケットが、従わされるべきＯＢＳＳに属するかどうかを決定するために、局は、動作４２３において、パケットの色を決定する。動作４２６において、局は、パケットの色が、従わされるべきＯＢＳＳの色に一致するかどうかを決定する。たとえば、ＳＴＡ  Ａ２１５は、パケットがパケットの色に基づいて従わされるべきＯＢＳＳに属するかどうかと、パケットの色がＢＳＳ  Ｃ、２３１、ＢＳＳ  Ｄ２４１、またはＢＳＳ  Ｅ２５１の色に一致するかどうかとを決定し得る。色が一致する場合、ＳＴＡ  Ａ２１５は送信を延期し得、他の場合、ＳＴＡ  Ａ２１５は送信を延期しないことがある。
【００６１】
[0067]いくつかの構成では、のインジケーションは、従わされるべきＯＢＳＳのＢＳＳＩＤである。パケットが、従わされるべきＯＢＳＳに属するかどうかを決定するために、局は、動作４３３において、パケットのＢＳＳＩＤを決定する。動作４３６において、局は、パケットのＢＳＳＩＤが、従わされるべきＯＢＳＳのＢＳＳＩＤに一致するかどうかを決定する。たとえば、ＳＴＡ  Ａ２１５は、パケット中で示されるＢＳＳＩＤと、パケットのＢＳＳＩＤがＢＳＳ  Ｃ、２３１、ＢＳＳ  Ｄ２４１、またはＢＳＳ  Ｅ２５１のＢＳＳＩＤに一致するかどうかとに基づいて、パケットが、従わされるべきＯＢＳＳに属するかどうかを決定し得る。ＢＳＳＩＤが一致する場合、ＳＴＡ  Ａ２１５は送信を延期し得、他の場合、ＳＴＡ  Ａ２１５は送信を延期しないことがある。
【００６２】
[0068]パケットが、従わされるべきＯＢＳＳに属するという決定に応答して、局は、動作４４６において、パケットに従う。いくつかの構成では、パケットが、従わされるべきＯＢＳＳに属さないという決定に応答して、局は、動作４４３において、パケットをドロップする。局がパケットに従うとき、局は、パケット中で示される持続時間の間、送信しないことがある。持続時間は、パケットの長さであり得るか、またはパケットの長さよりも大きくなり得る。局がパケットに従わないとき、次いで、局は、持続時間全体の間送信し得るか、または持続時間の一部分の間送信しないことがある。パケットをドロップすることの態様は、延期機能のサブセットであり得る。局がパケットをドロップするとき、パケットがまったく受信されないかのようであり、したがって、局は、パケット中で示される持続時間全体の間送信し得る。一例では、図２を参照すると、パケットがＢＳＳ  Ｃ、２３１、ＢＳＳ  Ｄ２４１、またはＢＳＳ  Ｅ２５１に属するとＳＴＡ  Ａ２１５が決定した場合、ＳＴＡ  Ａ２１５は、パケットに従い、パケットに基づいて設定されたＮＡＶに基づく持続時間の間送信しない。そうではなく、パケットがＢＳＳ  Ｃ、２３１、ＢＳＳ  Ｄ２４１、またはＢＳＳ  Ｅ２５１のうちの少なくとも１つに属さない場合、ＳＴＡ  Ａ２１５は、パケットをドロップし、送信し得る。
【００６３】
[0069]いくつかの構成では、ＢＳＳと従わされるべきＯＢＳＳとは、両方とも同じアクセスポイントに関連付けられる。いくつかの構成では、従わされるべきＯＢＳＳは、アクセスポイントとコロケートされた別のアクセスポイントに関連付けられる。いくつかの構成では、従わされるべきＯＢＳＳは、アクセスポイントとコロケートされない別のアクセスポイントに関連付けられる。
【００６４】
[0070]いくつかの構成では、パケットに従うために、動作４４９において、局は、パケットが、従わされるべきＯＢＳＳに属するとき、パケットのためにチャネル上で予約された期間を尊重する。たとえば、図２を参照すると、ＳＴＡ  Ａ２１５は、パケットがＢＳＳ  Ｃ、２３１、ＢＳＳ  Ｄ２４１、またはＢＳＳ  Ｅ２５１のうちの少なくとも１つに属するとき、パケットのために周波数チャネル２０６上で予約された期間の間送信することを控えることによって、期間を尊重する。
【００６５】
[0071]図５は、従わされるべきＯＢＳＳのインジケーションを送るためのアクセスポイントの方法／プロセスのフローチャート５００である。方法は、アクセスポイント（たとえば、ＡＰ  Ａ２１０、ＡＰ  Ｂ２２０、ＡＰ  Ｃ２３０、およびＡＰ  Ｅ２５０、ワイヤレスデバイス６０２、またはワイヤレス通信デバイス７００）によって実行され得る。動作５１３において、アクセスポイントは、アクセスポイントに関連付けられた１つまたは複数の局によって、それのデータパケットが従わされるべきであるＢＳＳを決定する。たとえば、図２を参照すると、アクセスポイントはＡＰ  Ａ２１０であり得る。ＡＰ  Ａ２１０は、ＢＳＳ  Ａ２１１中の１つまたは複数の局（たとえば、ＳＴＡ  Ａ２１５）によって、それのデータパケットが異なられるべきであるＢＳＳを決定し得る。いくつかの構成では、動作５１３内で、ＯＢＳＳは、ＢＳＳのデバイスからアクセスポイントにおいて受信された信号の信号強度に基づいて決定される。たとえば、図２を参照すると、ＡＰ  Ａ２１０は、ＢＳＳ  Ｂ２１１中のＡＰ  Ｂ２２０から受信された信号のＲＳＳＩを決定し得る。ＲＳＳＩはしきい値を下回り得、したがって、ＡＰ  Ａ２１０は、ＢＳＳ  Ｂ２２１が、ＳＴＡ  Ａ２１５がそれに従う必要があるＢＳＳのうちの１つではないと決定し得る。ＡＰ  Ａ２１０はまた、ＡＰ  Ｃ２３０から受信された信号のＲＳＳＩがしきい値を上回ると決定し得る。したがって、ＡＰ  Ａ２１０は、ＳＴＡ  Ａ２１５がＢＳＳ  Ｃ２３１からの送信に従うべきであると決定し得る。いくつかの構成では、動作５１３内で、ＢＳＳは、ＢＳＳとＢＳＳとの間の距離に基づいて決定される。たとえば、ＢＳＳ  Ａ２１１とＢＳＳ  Ｂ２２１との間の距離がしきい値よりも大きい場合、ＡＰ  Ａ２１０は、その距離による限られた干渉により、ＢＳＳ  Ｂ２２１からの送信への延期が必要でないと決定し得る。対照的に、ＢＳＳ  Ａ２１１とＢＢＳ  Ｃ２３１との間の距離はしきい値を下回り得、したがって、ＡＰ  Ａ２１０は、それのＳＴＡがＢＳＳ  Ｃ２３１から受信されたパケットに従うべきであると決定し得る。いくつかの構成では、動作５１３内で、ＢＳＳは、ＢＳＳとＢＳＳとの間のネゴシエーションを通して決定される。一例では、ＡＰ  Ａ２１０とＡＰ  Ｂ２２０とは、メッセージを交換し得、交換されたメッセージに基づいて、各それぞれのＢＳＳに引き起こされる干渉を推定し得る。干渉レベルに基づいて、ＡＰ  Ａ２１０とＡＰ  Ｂ２２０とは、互いのＢＳＳに従うべきかどうかを決定し得る。別の例では、ＡＰ  Ａ２１０およびＡＰ  Ｂ２２０は、通信のために異なる周波数帯域を含む異なるチャネルを使用することをそれらのＡＰが決定し得るので、干渉レベルがしきい値を上回るときでも延期しないことを決定し得る。
【００６６】
[0072]動作５１６において、アクセスポイントは、ＢＳＳのインジケーションを１つまたは複数の局に送る。いくつかの構成では、動作５１６内で、アクセスポイントは、動作５２３において、管理フレームを１つまたは複数の局に送る。インジケーションは管理フレーム中に含まれ得る。たとえば、図２を参照すると、ＡＰ  Ａ２１０は、管理フレームをＳＴＡ  Ａ２１５に送り得、管理フレームは、ＢＳＳ  Ａ２１１、ＢＳＳ  Ｃ２３１、ＢＳＳ  Ｄ２４１、およびＢＳＳ  Ｅ２５１に従うことをＳＴＡ  Ａ２１５に示し得る。別の構成では、インジケーションは、局がそれに従うべきでないＢＳＳを示し得る。インジケーションは、ＢＳＳＩＤのリストまたは色情報であり得る。
【００６７】
[0073]いくつかの構成では、動作５１６内で、アクセスポイントは、動作５３３において、１つまたは複数の局に関連付けられるより前に、１つまたは複数の局から関連付け要求を受信する。動作５３６において、アクセスポイントは、関連付け応答を１つまたは複数の局に送る。インジケーションは関連付け応答中に含まれる。たとえば、図２を参照すると、ＡＰ  Ａ２１０は、ＳＴＡ  Ａ２１５から関連付け要求を受信し得る。ＡＰ  Ａ２１０は、関連付け応答をＳＴＡ  Ａ２１５に送り得、関連付け応答は、ＳＴＡ  Ａ２１５がそれに従うべきである１つまたは複数のＢＳＳを示し得る。
【００６８】
[0074]いくつかの構成では、ＯＢＳＳのインジケーションは、ＯＢＳＳの色（たとえば、ＢＳＳ  Ｃ２３１、ＢＳＳ  Ｄ２４１、およびＢＳＳ  Ｅ２５１についての色情報）である。いくつかの構成では、ＯＢＳＳのインジケーションは、ＯＢＳＳのＢＳＳＩＤ（たとえば、ＢＳＳ  Ｃ２３１、ＢＳＳ  Ｄ２４１、およびＢＳＳ  Ｅ２５１のＢＳＳＩＤ）である。
【００６９】
[0075]図６は、図１のワイヤレス通信システム１００または図２のワイヤレスネットワーク内で採用され得るワイヤレスデバイス６０２の例示的な機能ブロック図を示す。ワイヤレスデバイス６０２は、本明細書で説明される様々な方法を実装するように構成され得るデバイスの一例である。たとえば、ワイヤレスデバイス６０２は、ＡＰ１０４およびＡＰ  Ａ２１０、ＡＰ  Ｂ２２０、ＡＰ  Ｃ２３０、ＡＰ  Ｅ２５０のうちの１つ、またはＳＴＡ１１４およびＳＴＡ  Ａ２１５、ＳＴＡ  Ｂ２２５、ＳＴＡ  Ｄ２４５のうちの１つであり得る。
【００７０】
[0076]ワイヤレスデバイス６０２は、ワイヤレスデバイス６０２の動作を制御するプロセッサ６０４を含み得る。プロセッサ６０４は中央処理ユニット（ＣＰＵ）と呼ばれることもある。読取り専用メモリ（ＲＯＭ）とランダムアクセスメモリ（ＲＡＭ）の両方を含み得るメモリ６０６は、命令とデータとをプロセッサ６０４に与え得る。メモリ６０６の一部分は不揮発性ランダムアクセスメモリ（ＮＶＲＡＭ）をも含み得る。プロセッサ６０４は、一般に、メモリ６０６内に記憶されたプログラム命令に基づいて論理演算および算術演算を実行する。メモリ６０６中の命令は、本明細書で説明される方法を実装するために（たとえば、プロセッサ６０４によって）実行可能であり得る。
【００７１】
[0077]プロセッサ６０４は、１つまたは複数のプロセッサとともに実装された処理システムを備えるか、またはそれのコンポーネントであり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、あるいは情報の計算または他の操作を実行することができる任意の他の好適なエンティティの任意の組合せを用いて実装され得る。
【００７２】
[0078]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実行させる。
【００７３】
[0079]ワイヤレスデバイス６０２はまた、ハウジング６０８を含み得、ワイヤレスデバイス６０２は、ワイヤレスデバイス６０２とリモートデバイスとの間のデータの送信および受信を可能にするために送信機６１０および／または受信機６１２を含み得る。送信機６１０と受信機６１２とは組み合わせられてトランシーバ６１４になり得る。アンテナ６１６は、ハウジング６０８に取り付けられ、トランシーバ６１４に電気的に結合され得る。ワイヤレスデバイス６０２は、複数の送信機、複数の受信機、複数のトランシーバ、および／または複数のアンテナをも含み得る。
【００７４】
[0080]ワイヤレスデバイス６０２は、トランシーバ６１４または受信機６１２によって受信された信号のレベルを検出および定量化するために使用され得る信号検出器６１８をも含み得る。信号検出器６１８は、そのような信号を、総エネルギー、シンボルごとのサブキャリア当たりのエネルギー、電力スペクトル密度および他の信号として検出し得る。ワイヤレスデバイス６０２は、信号を処理する際に使用するためのＤＳＰ６２０をも含み得る。ＤＳＰ６２０は、送信のためにパケットを生成するように構成され得る。いくつかの態様では、パケットは、物理レイヤコンバージェンスプロシージャ（ＰＬＣＰ）プロトコルデータユニット（ＰＰＤＵ）を備え得る。
【００７５】
[0081]ワイヤレスデバイス６０２は、いくつかの態様ではユーザインターフェース６２２をさらに備え得る。ユーザインターフェース６２２は、キーパッド、マイクロフォン、スピーカー、および／またはディスプレイを備え得る。ユーザインターフェース６２２は、ワイヤレスデバイス６０２のユーザに情報を伝達し、および／またはユーザからの入力を受信する、任意の要素またはコンポーネントを含み得る。
【００７６】
[0082]ワイヤレスデバイス６０２が、ＡＰ（たとえば、ＡＰ  Ａ２１０）としてまたはＳＴＡ（たとえば、ＳＴＡ  Ａ２１５）として実装されるとき、ワイヤレスデバイス６０２はチャネル再利用コンポーネント６２４をも含み得る。
【００７７】
[0083]一実施形態では、ワイヤレスデバイス６０２はＡＰとして実装され得る。この実施形態では、チャネル再利用コンポーネント６２４は、アクセスポイントに関連付けられたＢＳＳ中の１つまたは複数の局によって、それのパケットが従わされるべきである少なくとも１つのＢＳＳを決定するように構成され得る。チャネル再利用コンポーネント６２４は、少なくとも１つのＢＳＳのインジケーションを１つまたは複数の局に送信するように構成され得る。一態様では、従わされるべき少なくとも１つのＢＳＳは、従わされるべき少なくとも１つのＢＳＳに関連付けられたデバイスからアクセスポイントにおいて受信された信号の信号強度に基づいて決定される。別の態様では、従わされるべき少なくとも１つのＢＳＳは、ＢＳＳと従わされるべき少なくとも１つのＢＳＳとの間の距離に基づいて決定される。別の態様では、従わされるべき少なくとも１つのＢＳＳは、ＢＳＳと従わされるべき少なくとも１つのＢＳＳとの間のネゴシエーションを通して決定される。別の態様では、インジケーションは、関連付け応答中で、管理フレーム中で、またはビーコンフレーム中で、１つまたは複数の局に送信される。別の態様では、インジケーションは、１つまたは複数の局がそれへの送信を延期すべきであるかまたはそれへの送信を延期すべきでないＢＳＳＩＤのリスト、あるいは１つまたは複数の局がそれへの送信を延期すべきであるかまたはそれへの送信を延期すべきでないＢＳＳを識別する１つまたは複数の色を含む色情報のうちの１つを含む。
【００７８】
[0084]別の実施形態では、ワイヤレスデバイス６０２は局として実装され得る。この実施形態では、チャネル再利用コンポーネント６２４は、チャネル上で、ワイヤレスデバイスからパケットを受信するように構成され得る。チャネル再利用コンポーネント６２４は、受信されたパケットに関連付けられたＢＳＳＩＤまたは色を決定するように構成され得る。チャネル再利用コンポーネント６２４は、パケットに関連付けられた決定されたＢＳＳＩＤまたは決定された色、およびインジケーションに基づいて、チャネル上での送信を延期すべきかどうかを決定するように構成され得る。インジケーションは、ＢＳＳＩＤのリストまたは色情報を含み得る。チャネル再利用コンポーネント６２４は、送信を延期するという決定に基づいて、パケットを廃棄することによって、およびパケットに基づいてネットワーク割振りベクトルを設定しないことによって、パケットをドロップするように構成され得る。一構成では、チャネル再利用コンポーネント６２４は、パケットがそれの上で受信されたチャネル上で予約された時間期間の間、送信を控えることによって、送信を延期すべきかどうかを決定するように構成され得、そこにおいて、時間期間は、パケット中で示される持続時間よりも小さいかまたはそれに等しい。別の態様では、ＢＳＳＩＤのリストは、同じアクセスポイントに関連付けられた複数のＢＳＳＩＤを含み得、ＢＳＳＩＤのリストは、それへの送信が延期されるべきであるかまたはそれへの送信が延期されるべきでないＢＳＳＩＤを示し得る。別の態様では、局は第１のアクセスポイントに関連付けられ得、ＢＳＳＩＤのリストが、第１のアクセスポイントとコロケートされた第２のアクセスポイントに関連付けられた少なくとも１つのＢＳＳＩＤを含み得、ＢＳＳＩＤのリストは、パケットが少なくとも１つのＢＳＳＩＤから受信された場合に、送信を延期するように局に命令し得る。別の構成では、チャネル再利用コンポーネント６２４は、局に関連付けられたアクセスポイントからインジケーションを受信するように構成され得る。別の態様では、インジケーションは、アクセスポイントからの関連付け応答中で、アクセスポイントからの管理フレームから、またはアクセスポイントからのビーコンから受信され得る。別の態様では、色情報は、それへの送信が従わされるべきであるかまたはそれへの送信が従わされるべきでない１つまたは複数の基本サービスセットに対応する１つまたは複数の色を含み得る。別の態様では、色情報中に含まれる色が、複数の基本サービスセットまたは複数のアクセスポイントに関連付けられ得る。
【００７９】
[0085]ワイヤレスデバイス６０２の様々なコンポーネントは、バスシステム６２６によって互いに結合され得る。バスシステム６２６は、たとえば、データバス、ならびに、データバスに加えて、電力バス、制御信号バス、およびステータス信号バスを含み得る。ワイヤレスデバイス６０２のコンポーネントは、何らかの他の機構を使用して、互いに結合されるか、あるいは互いに入力を受け付けるかまたは与え得る。
【００８０】
[0086]いくつかの別個のコンポーネントが図６に示されているが、それらのコンポーネントのうちの１つまたは複数は、組み合わせられるかまたは共通に実装され得る。たとえば、プロセッサ６０４は、プロセッサ６０４に関して上記で説明された機能を実装するためだけでなく、信号検出器６１８、ＤＳＰ６２０、ユーザインターフェース６２２、および／またはチャネル再利用コンポーネント６２４に関して上記で説明された機能を実装するためにも使用され得る。さらに、図６に示されているコンポーネントの各々は、複数の別個の要素を使用して実装され得る。
【００８１】
[0087]図７は、例示的なワイヤレス通信デバイス７００の機能ブロック図である。ワイヤレス通信デバイス７００は、受信機７０５と、処理システム７１０と、送信機７１５とを含む装置であり得る。処理システム７１０はチャネル再利用コンポーネント７２４を含み得る。チャネル再利用コンポーネント７２４は、コンポーネントの中でも、色サブコンポーネント７３２、ＢＳＳＩＤサブコンポーネント７３４、および／または譲歩サブコンポーネント７３６を含み得る。
【００８２】
[0088]一実施形態では、ワイヤレス通信デバイス７００はＡＰとして実装され得る。この実施形態では、処理システム７１０および／またはチャネル再利用コンポーネント７２４は、ワイヤレス通信デバイス７００に関連付けられたＢＳＳ中の１つまたは複数の局によって、それのパケットが従わされるべきである少なくとも１つのＢＳＳを決定するように構成され得る。処理システム７１０および／またはチャネル再利用コンポーネント７２４は、少なくとも１つのＢＳＳのインジケーションを１つまたは複数の局に送信するように構成され得る。一態様では、従わされるべき少なくとも１つのＢＳＳは、従わされるべき少なくとも１つのＢＳＳに関連付けられたデバイスからワイヤレス通信デバイス７００において受信された信号の信号強度に基づいて決定される。別の態様では、従わされるべき少なくとも１つのＢＳＳは、ＢＳＳと従わされるべき少なくとも１つのＢＳＳとの間の距離に基づいて決定される。別の態様では、従わされるべき少なくとも１つのＢＳＳは、ＢＳＳと従わされるべき少なくとも１つのＢＳＳとの間のネゴシエーションを通して決定される。別の態様では、インジケーションは、関連付け応答中で、管理フレーム中で、またはビーコンフレーム中で、１つまたは複数の局に送信される。別の態様では、インジケーションは、１つまたは複数の局がそれへの送信を延期すべきであるかまたはそれへの送信を延期すべきでないＢＳＳＩＤのリスト、あるいは１つまたは複数の局がそれへの送信を延期すべきであるかまたはそれへの送信を延期すべきでないＢＳＳを識別する１つまたは複数の色を含む色情報のうちの１つを含む。
【００８３】
[0089]別の実施形態では、ワイヤレス通信デバイス７００は局として実装され得る。この実施形態では、処理システム７１０、チャネル再利用コンポーネント７２４、および／または受信機７０５は、チャネル上で、ワイヤレスデバイスからパケットを受信するように構成され得る。処理システム７１０、色サブコンポーネント７３２、ＢＳＳＩＤサブコンポーネント７３４、および／またはチャネル再利用コンポーネント７２４は、受信されたパケットに関連付けられたＢＳＳＩＤまたは色を決定するように構成され得る。処理システム７１０、チャネル再利用コンポーネント７２４、および／または延期サブコンポーネント７３６は、パケットに関連付けられた決定されたＢＳＳＩＤまたは決定された色、およびインジケーションに基づいて、チャネル上での送信を延期すべきかどうかを決定するように構成され得る。インジケーションは、ＢＳＳＩＤのリストまたは色情報を含み得る。処理システム７１０、チャネル再利用コンポーネント７２４、および／または延期サブコンポーネント７３６は、送信を延期するという決定に基づいて、パケットを廃棄することによって、およびパケットに基づいてネットワーク割振りベクトルを設定しないことによって、パケットをドロップするように構成され得る。一構成では、処理システム７１０、チャネル再利用コンポーネント７２４、および／または延期サブコンポーネント７３６は、パケットがそれの上で受信されたチャネル上で予約された時間期間の間、送信を控えることによって、送信を延期すべきかどうかを決定するように構成され得、そこにおいて、時間期間は、パケット中で示される持続時間よりも小さいかまたはそれに等しい。別の態様では、ＢＳＳＩＤのリストは、同じアクセスポイントに関連付けられた複数のＢＳＳＩＤを含み得、ＢＳＳＩＤのリストは、それへの送信が従わされるべきであるかまたはそれへの送信が従わされるべきでないＢＳＳＩＤを示し得る。別の態様では、ワイヤレス通信デバイス７００は第１のアクセスポイントに関連付けられ得、ＢＳＳＩＤのリストが、第１のアクセスポイントとコロケートされた第２のアクセスポイントに関連付けられた少なくとも１つのＢＳＳＩＤを含み得、ＢＳＳＩＤのリストは、パケットが少なくとも１つのＢＳＳＩＤから受信された場合に、送信を延期するように局に命令し得る。別の構成では、処理システム７１０、チャネル再利用コンポーネント７２４、および／または受信機７０５は、ワイヤレス通信デバイス７００に関連付けられたアクセスポイントからインジケーションを受信するように構成され得る。別の態様では、インジケーションは、アクセスポイントからの関連付け応答中で、アクセスポイントからの管理フレームから、またはアクセスポイントからのビーコンから受信され得る。別の態様では、色情報は、それへの送信が従わされるべきであるかまたはそれへの送信が従わされるべきでない１つまたは複数の基本サービスセットに対応する１つまたは複数の色を含み得る。別の態様では、色情報中に含まれる色が、複数の基本サービスセットまたは複数のアクセスポイントに関連付けられ得る。
【００８４】
[0090]受信機７０５、処理システム７１０、チャネル再利用コンポーネント７２４、色サブコンポーネント７３２、ＢＳＳＩＤサブコンポーネント７３４、延期サブコンポーネント７３６、および／または送信機７１５は、図４の動作４１０、４１２、４１３、４１６、４１９、４２０、４２３、４２６、４３３、４３６、４４３、４４６、および４４９に、ならびに図５の動作５１３、５１６、５２３、５３３、および５３６に関して上記で説明された１つまたは複数の機能を実行するように構成され得る。受信機７０５は受信機６１２に対応し得る。処理システム７１０はプロセッサ６０４に対応し得る。送信機７１５は送信機６１０に対応し得る。チャネル再利用コンポーネント７２４は、チャネル再利用コンポーネント１２４、１２６および／またはチャネル再利用コンポーネント６２４に対応し得る。
【００８５】
[0091]一構成では、ワイヤレス通信デバイス７００は、ワイヤレス通信デバイス７００に関連付けられたＢＳＳ中の１つまたは複数の局によって、それのパケットが従わされるべきである少なくとも１つのＢＳＳを決定するための手段を含み得る。ワイヤレス通信デバイス７００は、少なくとも１つのＢＳＳのインジケーションを１つまたは複数の局に送信するための手段を含み得る。一態様では、従わされるべき少なくとも１つのＢＳＳは、従わされるべき少なくとも１つのＢＳＳに関連付けられたデバイスからワイヤレス通信デバイス７００において受信された信号の信号強度に基づいて決定される。別の態様では、従わされるべき少なくとも１つのＢＳＳは、ＢＳＳと従わされるべき少なくとも１つのＢＳＳとの間の距離に基づいて決定される。別の態様では、従わされるべき少なくとも１つのＢＳＳは、ＢＳＳと従わされるべき少なくとも１つのＢＳＳとの間のネゴシエーションを通して決定される。別の態様では、インジケーションは、関連付け応答中で、管理フレーム中で、またはビーコンフレーム中で、１つまたは複数の局に送信される。別の態様では、インジケーションは、１つまたは複数の局がそれへの送信を延期すべきであるかまたはそれへの送信を延期すべきでないＢＳＳＩＤのリスト、あるいは１つまたは複数の局がそれへの送信を延期すべきであるかまたはそれへの送信を延期すべきでないＢＳＳを識別する１つまたは複数の色を含む色情報のうちの１つを含む。
【００８６】
[0092]たとえば、決定するための手段は、処理システム７１０および／またはチャネル再利用コンポーネント７２４を含み得る。送信するための手段は、処理システム７１０、チャネル再利用コンポーネント７２４、および／または送信機７１５を含み得る。
【００８７】
[0093]別の構成では、ワイヤレス通信デバイス７００は、チャネル上で、ワイヤレスデバイスからパケットを受信するための手段を含み得る。ワイヤレス通信デバイス７００は、受信されたパケットに関連付けられたＢＳＳＩＤまたは色を決定するための手段を含み得る。ワイヤレス通信デバイス７００は、パケットに関連付けられた決定されたＢＳＳＩＤまたは決定された色、およびインジケーションに基づいて、チャネル上での送信を延期すべきかどうかを決定するための手段を含み得る。インジケーションは、ＢＳＳＩＤのリストまたは色情報を含み得る。ワイヤレス通信デバイス７００は、送信を延期するという決定に基づいてパケットをドロップするための手段を含み得る。ドロップするための手段は、パケットを廃棄することと、パケットに基づいてネットワーク割振りベクトルを設定しないこととを行うように構成され得る。一構成では、送信を延期すべきかどうかを決定するための手段は、パケットがそれの上で受信されたチャネル上で予約された時間期間の間、送信を控えるように構成され得、そこにおいて、時間期間は、パケット中で示される持続時間よりも小さいかまたはそれに等しい。別の態様では、ＢＳＳＩＤのリストは、同じアクセスポイントに関連付けられた複数のＢＳＳＩＤを含み得、ＢＳＳＩＤのリストは、それへの送信が従わされるべきであるかまたはそれへの送信が従わされるべきでないＢＳＳＩＤを示し得る。別の態様では、ワイヤレス通信デバイス７００は第１のアクセスポイントに関連付けられ得、ＢＳＳＩＤのリストが、第１のアクセスポイントとコロケートされた第２のアクセスポイントに関連付けられた少なくとも１つのＢＳＳＩＤを含み得、ＢＳＳＩＤのリストは、パケットが少なくとも１つのＢＳＳＩＤから受信された場合に、送信を延期するようにワイヤレス通信デバイス７００に命令し得る。別の構成では、ワイヤレス通信デバイス７００は、局に関連付けられたアクセスポイントからインジケーションを受信するための手段を含み得る。別の態様では、インジケーションは、アクセスポイントからの関連付け応答中で、アクセスポイントからの管理フレームから、またはアクセスポイントからのビーコンから受信され得る。別の態様では、色情報は、それへの送信が従わされるべきであるかまたはそれへの送信が従わされるべきでない１つまたは複数の基本サービスセットに対応する１つまたは複数の色を含み得る。別の態様では、色情報中に含まれる色が、複数の基本サービスセットまたは複数のアクセスポイントに関連付けられ得る。
【００８８】
[0094]たとえば、受信するための手段は、受信機７０５、処理システム７１０、および／またはチャネル再利用コンポーネント７２４を含み得る。ＢＳＳＩＤまたは色を決定するための手段は、処理システム７１０、チャネル再利用コンポーネント７２４、色サブコンポーネント７３２、および／またはＢＳＳＩＤサブコンポーネント７３４を含み得る。送信を延期すべきかどうかを決定するための手段は、処理システム７１０、チャネル再利用コンポーネント７２４、および／または延期サブコンポーネント７３６を含み得る。パケットをドロップするための手段は、処理システム７１０、チャネル再利用コンポーネント７２４、および／または延期サブコンポーネント７３６を含み得る。
【００８９】
[0095]上記で説明された方法の様々な動作は、（１つまたは複数の）様々なハードウェアおよび／またはソフトウェアコンポーネント、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【００９０】
[0096]本開示に関して説明された様々な例示的な論理ブロック、コンポーネント、および回路は、汎用プロセッサ、ＤＳＰ、ＡＳＩＣ、ＦＰＧＡ、または他のＰＬＤ、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００９１】
[0097]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、コンピュータ可読媒体は非一時的コンピュータ可読媒体（たとえば、有形媒体）を備える。
【００９２】
[0098]本明細書で開示された方法は、説明された方法を達成するための１つまたは複数のステップまたはアクションを備える。方法のステップおよび／またはアクションは、特許請求の範囲から逸脱することなく、互いに入れ替えられ得る。言い換えれば、ステップまたはアクションの特定の順序が指定されていない限り、特定のステップおよび／またはアクションの順序および／または使用は、特許請求の範囲から逸脱することなく変更され得る。
【００９３】
[0099]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００９４】
[00100]さらに、本明細書で説明された方法および技法を実行するためのコンポーネントおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、ＣＤまたはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【００９５】
[00101]特許請求の範囲は、上記で示された厳密な構成およびコンポーネントに限定されないことを理解されたい。上記で説明された方法および装置の構成、動作および詳細において、特許請求の範囲から逸脱することなく、様々な改変、変更および変形が行われ得る。
【００９６】
[00102]上記は本開示の態様を対象とするが、本開示の他の態様およびさらなる態様は、それの基本的範囲から逸脱することなく考案され得、それの範囲は以下の特許請求の範囲によって決定される。
【００９７】
[00103]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
【図１】
2018521572.tif 000003
【図２】
2018521572.tif 000004
【図３】
2018521572.tif 000005
【図４】
2018521572.tif 000006
【図５】
2018521572.tif 000007
【図６】
2018521572.tif 000008
【図７】
2018521572.tif 000009
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
局によるワイヤレス通信の方法であって、
チャネル上で、ワイヤレスデバイスからパケットを受信することと、
前記パケットに関連付けられた基本サービスセットを識別する色または基本サービスセット識別子（ＢＳＳＩＤ）のうちの１つおよびインジケーションに基づいて重複基本サービスセット（ＯＢＳＳ）に対応する前記パケットに対して、前記チャネル上での送信を延期すべきかどうかを決定すること、ここにおいて、前記インジケーションは、ＢＳＳＩＤのリストまたは色情報を備え、前記決定することは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
を備える、と
を備える、方法。
【請求項２】
送信を延期すべきかどうかを前記決定することは、前記パケットに関連付けられた前記ＢＳＳＩＤまたは前記色が、前記ＢＳＳＩＤのリスト中でまたは前記色情報中で示されるときに、前記パケットがそれの上で受信された前記チャネル上で予約された時間期間の間、送信を阻止することを決定することを備え、前記時間期間が、前記パケット中で示される持続時間よりも小さいかまたはそれに等しい、
請求項１に記載の方法。
【請求項３】
送信を延期しないという前記決定に基づいて前記パケットをドロップすることをさらに備え、前記ドロップすることは、前記パケットを廃棄することと、前記パケットに基づいてネットワーク割振りベクトルを設定しないこととを備える、
請求項１に記載の方法。
【請求項４】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１に記載の方法。
【請求項５】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１に記載の方法。
【請求項６】
前記局に関連付けられたアクセスポイントから前記インジケーションを受信することをさらに備え、前記インジケーションは、前記アクセスポイントからの関連付け応答中で、前記アクセスポイントからの管理フレームから、または前記アクセスポイントからのビーコンから受信される、
請求項１に記載の方法。
【請求項７】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１に記載の方法。
【請求項８】
アクセスポイントによるワイヤレス通信の方法であって、
前記アクセスポイントに関連付けられた重複基本サービスセット（ＯＢＳＳ）中の１つまたは複数の局によって、それのパケットが従わされるべきである少なくとも１つのＢＳＳを決定することと、
前記少なくとも１つのＯＢＳＳを含むインジケーションを前記１つまたは複数の局に送信することと
を備える、方法。
【請求項９】
従わされるべき前記少なくとも１つのＯＢＳＳは、従わされるべき前記少なくとも１つのＯＢＳＳに関連付けられたデバイスから前記アクセスポイントにおいて受信された信号の信号強度に基づいて決定される、
請求項８に記載の方法。
【請求項１０】
従わされるべき前記少なくとも１つのＯＢＳＳは、前記ＢＳＳと従わされるべき前記少なくとも１つのＯＢＳＳとの間の距離に基づいて決定される、
請求項８に記載の方法。
【請求項１１】
従わされるべき前記少なくとも１つのＯＢＳＳは、前記ＢＳＳと従わされるべき前記少なくとも１つのＯＢＳＳとの間のネゴシエーションを通して決定される、
請求項８に記載の方法。
【請求項１２】
前記インジケーションは、関連付け応答中で、管理フレーム中で、またはビーコンフレーム中で、前記１つまたは複数の局に送信される、
請求項８に記載の方法。
【請求項１３】
前記インジケーションは、
前記１つまたは複数の局がそれへの送信を、従うべきであるかまたはそれへの送信を延期すべきでないＢＳＳＩＤのリスト、あるいは
前記１つまたは複数の局がそれへの送信を、従うべきであるかまたはそれへの送信を延期すべきでないＢＳＳを識別する１つまたは複数の色を備える色情報
のうちの１つを含む、請求項９に記載の方法。
【請求項１４】
ワイヤレス通信のための局であって、
メモリと、
前記メモリに結合された少なくとも１つのプロセッサと
を備え、前記少なくとも１つのプロセッサは、
チャネル上で、ワイヤレスデバイスからパケットを受信することと、
前記パケットに関連付けられた基本サービスセットを識別する色または基本サービスセット識別子（ＢＳＳＩＤ）のうちの１つおよびインジケーションに基づいて重複基本サービスセット（ＯＢＳＳ）に対応する前記パケットに対して、前記チャネル上での送信を延期すべきかどうかを決定すること、ここにおいて、前記インジケーションは、ＢＳＳＩＤのリストまたは色情報を備え、前記少なくとも１つのプロセッサは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
によって送信を延期するかどうかを決定するように構成される、と
を行うように構成される、局。
【請求項１５】
前記少なくとも１つのプロセッサは、前記パケットに関連付けられた前記ＢＳＳＩＤまたは前記色が、前記ＢＳＳＩＤのリスト中にまたは前記色情報中にあるときに、前記パケットがそれの上で受信された前記チャネル上で予約された時間期間の間、送信を延期することを決定することによって、送信を延期すべきかどうかを決定するように構成され、前記時間期間は、前記パケット中で示される持続時間よりも小さいかまたはそれに等しい、
請求項１４に記載の局。
【請求項１６】
前記少なくとも１つのプロセッサが、送信を延期しないという前記決定に基づいて、前記パケットを廃棄することによって、および前記パケットに基づいてネットワーク割振りベクトルを設定しないことによって、前記パケットをドロップするようにさらに構成される、
請求項１４に記載の局。
【請求項１７】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１４に記載の局。
【請求項１８】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１４に記載の局。
【請求項１９】
前記少なくとも１つのプロセッサは、前記局に関連付けられたアクセスポイントから前記インジケーションを受信するように構成され、前記インジケーションは、前記アクセスポイントからの関連付け応答中で、前記アクセスポイントからの管理フレームから、または前記アクセスポイントからのビーコンから受信される、
請求項１４に記載の局。
【請求項２０】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１４に記載の局。
【請求項２１】
ワイヤレス通信のためのアクセスポイントであって、
メモリと、
前記メモリに結合された少なくとも１つのプロセッサと
を備え、前記少なくとも１つのプロセッサは、
前記アクセスポイントに関連付けられた重複基本サービスセット（ＯＢＳＳ）中の１つまたは複数の局によって、それのパケットが従わされるべきである少なくとも１つのＢＳＳを決定することと、
前記少なくとも１つのＯＢＳＳを含むインジケーションを前記１つまたは複数の局に送信することと
を行うように構成される、アクセスポイント。
【請求項２２】
従わされるべき前記少なくとも１つのＯＢＳＳは、従わされるべき前記少なくとも１つのＯＢＳＳに関連付けられたデバイスから前記アクセスポイントにおいて受信された信号の信号強度に基づいて決定される、
請求項２１に記載のアクセスポイント。
【請求項２３】
従わされるべき前記少なくとも１つのＯＢＳＳは、前記ＢＳＳと従わされるべき前記少なくとも１つのＯＢＳＳとの間の距離に基づいて決定される、
請求項２１に記載のアクセスポイント。
【請求項２４】
従わされるべき前記少なくとも１つのＯＢＳＳは、前記ＢＳＳと従わされるべき前記少なくとも１つのＯＢＳＳとの間のネゴシエーションを通して決定される、
請求項２１に記載のアクセスポイント。
【請求項２５】
前記インジケーションは、関連付け応答中で、管理フレーム中で、またはビーコンフレーム中で、前記１つまたは複数の局に送信される、
請求項２１に記載のアクセスポイント。
【請求項２６】
前記インジケーションは、
前記１つまたは複数の局がそれへの送信を従うべきであるかまたはそれへの送信を延期すべきでないＢＳＳＩＤのリスト、あるいは
前記１つまたは複数の局がそれへの送信を従うべきであるかまたはそれへの送信を延期すべきでないＢＳＳを識別する１つまたは複数の色を備える色情報
のうちの１つを含む、
請求項２２に記載のアクセスポイント。
【手続補正２】
【補正対象書類名】明細書
【補正対象項目名】００９７
【補正方法】変更
【補正の内容】
【００９７】
[00103]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願出願の当初の特許請求の範囲に記載された発明を付記する。
［Ｃ１］
局によるワイヤレス通信の方法であって、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
前記パケットに関連付けられた前記決定されたＢＳＳＩＤまたは前記決定された色、およびインジケーションに基づいて、前記チャネル上での送信を延期すべきかどうかを決定すること、前記インジケーションは、ＢＳＳＩＤのリストまたは色情報を備える、と
を備える、方法。
［Ｃ２］
送信を延期すべきかどうかを前記決定することは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
を備える、［Ｃ１］に記載の方法。
［Ｃ３］
送信を延期すべきかどうかを前記決定することは、
前記パケットに関連付けられた前記ＢＳＳＩＤまたは前記色が、前記ＢＳＳＩＤのリスト中でまたは前記色情報中で示されないときに、送信を延期することを決定することと、
前記パケットに関連付けられた前記ＢＳＳＩＤまたは前記色が、前記ＢＳＳＩＤのリスト中でまたは前記色情報中で示されるときに、送信を延期しないことを決定することと
を備える、［Ｃ１］に記載の方法。
［Ｃ４］
送信を延期すべきかどうかを前記決定することは、前記パケットに関連付けられた前記ＢＳＳＩＤまたは前記色が、前記ＢＳＳＩＤのリスト中でまたは前記色情報中で示されるときに、前記パケットがそれの上で受信された前記チャネル上で予約された時間期間の間、送信を阻止することを決定することを備え、前記時間期間が、前記パケット中で示される持続時間よりも小さいかまたはそれに等しい、
［Ｃ１］に記載の方法。
［Ｃ５］
送信を延期しないという前記決定に基づいて前記パケットをドロップすることをさらに備え、前記ドロップすることは、前記パケットを廃棄することと、前記パケットに基づいてネットワーク割振りベクトルを設定しないこととを備える、
［Ｃ１］に記載の方法。
［Ｃ６］
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
［Ｃ１］に記載の方法。
［Ｃ７］
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
［Ｃ１］に記載の方法。
［Ｃ８］
前記局に関連付けられたアクセスポイントから前記インジケーションを受信することをさらに備え、前記インジケーションは、前記アクセスポイントからの関連付け応答中で、前記アクセスポイントからの管理フレームから、または前記アクセスポイントからのビーコンから受信される、
［Ｃ１］に記載の方法。
［Ｃ９］
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
［Ｃ１］に記載の方法。
［Ｃ１０］
アクセスポイントによるワイヤレス通信の方法であって、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を備える、方法。
［Ｃ１１］
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
［Ｃ１０］に記載の方法。
［Ｃ１２］
従わされるべき前記少なくとも１つのＢＳＳは、前記ＢＳＳと従わされるべき前記少なくとも１つのＢＳＳとの間の距離に基づいて決定される、
［Ｃ１０］に記載の方法。
［Ｃ１３］
従わされるべき前記少なくとも１つのＢＳＳは、前記ＢＳＳと従わされるべき前記少なくとも１つのＢＳＳとの間のネゴシエーションを通して決定される、
［Ｃ１０］に記載の方法。
［Ｃ１４］
前記インジケーションは、関連付け応答中で、管理フレーム中で、またはビーコンフレーム中で、前記１つまたは複数の局に送信される、
［Ｃ１０］に記載の方法。
［Ｃ１５］
前記インジケーションは、
前記１つまたは複数の局がそれへの送信を、従うべきであるかまたはそれへの送信を延期すべきでないＢＳＳＩＤのリスト、あるいは
前記１つまたは複数の局がそれへの送信を、従うべきであるかまたはそれへの送信を延期すべきでないＢＳＳを識別する１つまたは複数の色を備える色情報
のうちの１つを含む、［Ｃ１１］に記載の方法。
［Ｃ１６］
ワイヤレス通信のための局であって、
メモリと、
前記メモリに結合された少なくとも１つのプロセッサと
を備え、前記少なくとも１つのプロセッサは、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
前記パケットに関連付けられた前記決定されたＢＳＳＩＤまたは前記決定された色、およびインジケーションに基づいて、前記チャネル上での送信を延期すべきかどうかを決定すること、前記インジケーションは、ＢＳＳＩＤのリストまたは色情報を備える、と
を行うように構成される、局。
［Ｃ１７］
前記少なくとも１つのプロセッサは、
前記パケットに関連付けられた前記ＢＳＳＩＤまたは前記色が、前記ＢＳＳＩＤのリスト中でまたは前記色情報中で示されるときに、送信を延期することを決定することと、
前記パケットに関連付けられた前記ＢＳＳＩＤまたは前記色が、前記ＢＳＳＩＤのリスト中でまたは前記色情報中で示されないときに、送信を延期しないことを決定することと
によって、送信を延期すべきかどうかを決定するように構成される、［Ｃ１６］に記載の局。
［Ｃ１８］
前記少なくとも１つのプロセッサは、
前記パケットに関連付けられた前記ＢＳＳＩＤまたは前記色が、前記ＢＳＳＩＤのリスト中でまたは前記色情報中で示されないときに、送信を延期することを決定することと、
前記パケットに関連付けられた前記ＢＳＳＩＤまたは前記色が、前記ＢＳＳＩＤのリスト中でまたは前記色情報中で示されるときに、送信を延期しないことを決定することと
によって、送信を延期すべきかどうかを決定するように構成される、［Ｃ１６］に記載の局。
［Ｃ１９］
前記少なくとも１つのプロセッサは、前記パケットに関連付けられた前記ＢＳＳＩＤまたは前記色が、前記ＢＳＳＩＤのリスト中にまたは前記色情報中にあるときに、前記パケットがそれの上で受信された前記チャネル上で予約された時間期間の間、送信を延期することを決定することによって、送信を延期すべきかどうかを決定するように構成され、前記時間期間は、前記パケット中で示される持続時間よりも小さいかまたはそれに等しい、
［Ｃ１６］に記載の局。
［Ｃ２０］
前記少なくとも１つのプロセッサが、送信を延期しないという前記決定に基づいて、前記パケットを廃棄することによって、および前記パケットに基づいてネットワーク割振りベクトルを設定しないことによって、前記パケットをドロップするようにさらに構成される、
［Ｃ１６］に記載の局。
［Ｃ２１］
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
［Ｃ１６］に記載の局。
［Ｃ２２］
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
［Ｃ１６］に記載の局。
［Ｃ２３］
前記少なくとも１つのプロセッサは、前記局に関連付けられたアクセスポイントから前記インジケーションを受信するように構成され、前記インジケーションは、前記アクセスポイントからの関連付け応答中で、前記アクセスポイントからの管理フレームから、または前記アクセスポイントからのビーコンから受信される、
［Ｃ１６］に記載の局。
［Ｃ２４］
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
［Ｃ１６］に記載の局。
［Ｃ２５］
ワイヤレス通信のためのアクセスポイントであって、
メモリと、
前記メモリに結合された少なくとも１つのプロセッサと
を備え、前記少なくとも１つのプロセッサは、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を行うように構成される、アクセスポイント。
［Ｃ２６］
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
［Ｃ２５］に記載のアクセスポイント。
［Ｃ２７］
従わされるべき前記少なくとも１つのＢＳＳは、前記ＢＳＳと従わされるべき前記少なくとも１つのＢＳＳとの間の距離に基づいて決定される、
［Ｃ２５］に記載のアクセスポイント。
［Ｃ２８］
従わされるべき前記少なくとも１つのＢＳＳは、前記ＢＳＳと従わされるべき前記少なくとも１つのＢＳＳとの間のネゴシエーションを通して決定される、
［Ｃ２５］に記載のアクセスポイント。
［Ｃ２９］
前記インジケーションは、関連付け応答中で、管理フレーム中で、またはビーコンフレーム中で、前記１つまたは複数の局に送信される、
［Ｃ２５］に記載のアクセスポイント。
［Ｃ３０］
前記インジケーションは、
前記１つまたは複数の局がそれへの送信を従うべきであるかまたはそれへの送信を延期すべきでないＢＳＳＩＤのリスト、あるいは
前記１つまたは複数の局がそれへの送信を従うべきであるかまたはそれへの送信を延期すべきでないＢＳＳを識別する１つまたは複数の色を備える色情報
のうちの１つを含む、
［Ｃ２６］に記載のアクセスポイント。
【国際調査報告】
2018521572.tif 000010
2018521572.tif 000011
2018521572.tif 000012